(57)【要約】【課題】  パーティーなどの集まりにおいて、スーツの胸ポケット等に取付けてネームカードを収容するネームカードホルダーであって、他人からもらった名刺を一時的に収容できるネームカードホルダーの提供。【解決手段】  ポリプロピレンやポリエチレンテレフタレートを材料として成形した箱形ケースであって、正面板１、背面板２、両側板３ａ，３ｂ、及び底板４を有して上部を開口し、そして底部には底板４に穴を設けると共に正面板１及び背面板２を切欠いて底穴６を形成し、又背面板２の両側には底板４から上方へ延びる長穴７，７を設け、この長穴７，７の位置には撓み変形する湾曲板バネ８，８を収容空間１２に配置し、該湾曲板バネ８は底板４の縁と肉厚を薄くした連結部１０，１０を介して繋がり、湾曲板バネ８の湾曲部の頂部１１は正面板１の内面に近接している。【選択図】    図１
0003119369.tif 000002
【実用新案登録請求の範囲】
【請求項１】
パーティーなどの集まりにおいて、スーツの胸ポケット等に取付けてネームカードを収容するネームカードホルダーにおいて、ポリプロピレンやポリエチレンテレフタレートを材料として成形した箱形ケースであって、正面板、背面板、両側板、及び底板を有して上部を開口し、そして底部には底板に穴を設けると共に正面板及び背面板を切欠いて底穴を形成し、又背面板の両側には底板から上方へ延びる長穴を設け、この長穴の位置には撓み変形する湾曲板バネを収容空間に配置し、該湾曲板バネは底板の縁と肉厚を薄くした連結部を介して繋がり、湾曲板バネの湾曲部の頂部は正面板の内面に近接又は接触したことを特徴とするネームカードホルダー。
【考案の詳細な説明】
【技術分野】
【０００１】
本考案はパーティーなどの集まりで、他人の名刺を収容できるネームカードホルダーに関するものである。
【背景技術】
【０００２】
各種パーティーでは各自の名前が分かるようにネームプレート(ネームカードホルダー)をスーツの胸ポケットに取付ける場合が多い。該ネームカードホルダーは透明なプラスチックのケースとその裏面にクリップが取着されており、ネームカードホルダーには名前や名称を記載したネームカードが収容され、クリップは胸ポケットに挟んで取付けることが出来るように成っている。
【０００３】
実開平１−１４０５８２号に係る「ネームプレート」は、スーツの胸ポケットや襟に着脱自在に取付けるネームプレートであり、ネームカードを収納する収納ケース体の裏面の適宜の位置に一端において物を挟着出来るように形成した挟持体を回転自在に取付けている。従って、スーツの胸ポケットや襟から取外して、挟持体を支えとしてテーブル面に載置することが出来る。
【０００４】
実用新案登録第３０７３９０６号に係る「ネームプレート本体とネームプレート」は、正面横長の方形に構成された透明プレートと、透明プレートの裏面に転写された表示事項用被転写物と、被転写物を覆った状態の塗料と、塗料の裏面に接着された不透明の背面プレートから構成され、透明プレートと背面プレートの隅部分は、湾曲面に構成され、表示事項用被転写物の透明プレートへの転写は、転写紙を透明プレートの裏面に熱転写して構成している。
【０００５】
ところで、このようなネームプレート(ネームカードホルダー)をスーツの胸ポケットに取付けることで、パーティーや会議、及び研修会などの集まりに出席する場合、初対面の人と会っても相手が分かる。しかし、各種集まりでは、参加した特定の人と話をする際には名刺の交換が一般に行われる。そして、相手方からもらった名刺はポケットに入れてしまうことが常であるが、該ポケットに入っている他の物と当って該名刺が汚れたり、折れ曲がったりすることも多い。
【０００６】
又、ポケット内に既に名刺が入っているならば、別の名刺と混ざり合ってしまい、後で整理することが出来なくなる。男性の場合にはスーツを着用している為に該スーツのポットに交換してもらう名刺を入れることは出来るが、女性の場合にはポケットを備えない被服も多く、名刺交換に際してもらう名刺の一時的な保管に困る場合が多い。従って、持ち歩くハンドバックに入れてしまわなくてはならない。
【特許文献１】実開平１−１４０５８２号に係る「ネームプレート」
【特許文献２】実用新案登録第３０７３９０６号に係る「ネームプレート本体とネームプレート」
【考案の開示】
【考案が解決しようとする課題】
【０００７】
このように、パーティーなどの席で名刺交換を行う際にもらう相手方の名刺の一時的な保管に関して上記のごとき問題がある。本考案が解決しようとする課題はこの問題点であり、名刺を収納出来るスペース(収容空間)を設けたネームカードホルダーを提供する。
【課題を解決するための手段】
【０００８】
本考案に係るネームカードホルダーは、透明なポリプロピレン、又はポリエチレンテレフタレートを材料として成形したもので、上部を開口した箱形ケースを構成している。そして、ケース背面板の上部中央には胸ポケットに取付ける為の吊具を取付けている。そして、背面板の両側には長穴が貫通し、この長穴の位置にはケース底から起立した湾曲板バネが配置されている。
【０００９】
上記湾曲板バネは正面板に向いて滑らかな凸状に湾曲し、該正面板に近接している。しかも、撓み変形することで背面板側へ後退することも出来る。ここで、湾曲板バネは底板の縁と繋がっている連結部の肉厚が薄く成っている為に、湾曲板バネの形状は保ったままで、該連結部が曲げ変形することで湾曲板バネの位置が変化する。
【００１０】
さらに、底板の中央には穴が貫通して設けられ、該穴と同じ位置の背面板及び正面板にも底から所定の高さまで切欠かれて、底穴が形成されている。ところで、自分のネームカードは正面板の内側に面して挿入され、そして上記湾曲板バネにて倒れないように支持される。他の人からもらう名刺もネームカードホルダーに収容することが出来、自分のネームカードの背後に差込まれて湾曲板バネにて押圧される。
【考案の効果】
【００１１】
本考案に係るネームカードホルダーは、所定の大きさを有す箱形ケースにて構成され、自分のネームカードの他に、他人の名刺を収容することが出来、一時的な保管を可能とする。該ネームカードホルダーには湾曲板バネが設けられ、ネームカード及び名刺は湾曲板バネに挟まれて、ガタ付くことなくホルダー内に収容される。湾曲板バネは底に肉厚を薄くした連結部が連結され、所定の湾曲状態を保ったままで撓み変形することが出来るために、開口から差込まれる名刺は湾曲板バネに挟まれる。
【００１２】
一方、底部の中央には底穴が貫通して設けられ、従って、収容した名刺は底穴に沿って指を入れて押上げることで簡単に取出すことが出来る。そして、本考案のネームカードホルダーはポリプロピレンやポリエチレンテレフタートを材質としている為に、上記湾曲板バネはケースの外に位置した状態で成形され、成形後に湾曲板バネを薄肉の連結部を折り曲げてケース内に配置することが出来る。従って、湾曲板バネを備えたネームカードホルダーが低コストで簡単に製作可能と成る。
【実施例】
【００１３】
図１は本考案に係るネームカードホルダーを表している実施例であり、正面板１、背面板２、両側板３ａ，３ｂ、及び底板４を有す箱形ホルダーである。材質としては、ポリプロピレン又はポリエチレンテレフタートが用いられて上記箱形ホルダーとして成形されている。そして、背面板２の上部中央には吊穴５が貫通して設けられ、この吊穴５に吊具が連結して吊下げることが出来る。吊具の形態は本考案の対象外であり、適当な吊具を使用してスーツの胸ポケットに吊下げられる。
【００１４】
そして、底部には底穴６が設けられ、その為に底板４には貫通穴を設け、正面板１と背面板２には切欠き穴を形成している。すなわち、底部中央が切欠かれた状態と成っている。又、背面板２の両側には長穴７，７が底板４から上方へ延びており、該長穴７，７と同じ位置には湾曲板バネ８，８が収容空間内に設けられている。
【００１５】
湾曲板バネ８，８は底板４の縁９に連結部１０を介して連結し、連結部１０が曲げ変形することで湾曲板バネ８は撓み変形することが出来る。図１(ｂ)に断面図を示しているように、湾曲板バネ８は滑らかな凸状に湾曲し、その頂部１１は正面板１の内面に接している。又は近接状態にある。
【００１６】
ところで、本考案のネームカードホルダーには自分の名前を記入したネームカードを挿入して胸ポケットに吊具を介して吊下げることが出来る。ネームカードは開口１３から正面板１の内側に面して収容空間１２に差込まれ、そして上記湾曲板バネ８にて押圧され、ネームカードはガタ付くことなく安定して収容される。勿論、湾曲板バネ８にて押圧される為に、ネームカードホルダーから外れ落ちることはない。
【００１７】
図２は本考案のネームカードホルダーにネームカード１４を収容した場合を表している。同図に示すようにネームカード１４は収容空間１２に収容されると共に湾曲板バネ８にて押えられる。正面板１は透明である為に、該正面板１を通してネームカード１４に記載している名前や名称が分かる。そして、底板４、正面板１、及び背面板２の中央が切欠かれて底穴６が形成されている為に、この部分ではネームカード１４が露出するが、その為に底穴６に指を入れて押上げるならば、ネームカード１４は上昇して簡単に取り出すことが出来る。
【００１８】
図３はネームカードホルダーに他人からもらった名刺を自分のネームカード１４の後方に差し入れた場合を示している。ネームカードホルダーの収容空間１２はある程度の大きさを有している為に、該ネームカード１４の裏側に名刺１５，１５・・を差し入れることが出来る訳で、湾曲板バネ８を撓ませることで所定枚数の名刺１５，１５・・が収容される。
【００１９】
正面板１の内側にはネームカード１４が当接した状態で収容されているが、この状態で開口１３から名刺１５を差込む場合、湾曲板バネ８にガイドされて名刺１５は必ずネームカード１４の裏側に差し入れられる。ネームカード１４は湾曲板バネ８によって正面板１に押圧されているために、正面板１との間に隙間が存在することはなく、開口１３から挿入した名刺１５は湾曲板バネ８の湾曲先端部に当ってネームカード１４の裏側に差し込まれる。
【００２０】
図４は本考案のネームカードホルダーを成形した場合であり、収容空間１２に配置される湾曲板バネ８は底板４から下方へ延びた状態で成形される。湾曲板バネ８と底板４とは、図４(ｃ)に拡大図を示すように、肉厚を薄くした連結部１０を介して繋がれ、成形後に折り曲げることで収容空間内へ配置される。本考案では湾曲板バネ８を成形後に折り曲げても破損しない樹脂材、例えばポリプロピレンやポリエチレンテレフタレートを使用している。
【００２１】
上記ポリエチレンテレフラレートは従来からペットボトルの材料として用いられ、本考案では大量に廃棄されるペットボトルを再利用することでネームカードホルダーを安く成形することが出来る。
【図面の簡単な説明】
【００２２】
【図１】本考案に係るネームカードホルダーを示す実施例。
【図２】ネームカードホルダーにネームカードを差し入れた場合。
【図３】ネームカードホルダーにネームカードと名刺を差し入れた場合。
【図４】ネームカードホルダーを成形した状態。
【符号の説明】
【００２３】
１  正面板
２  背面板
３  側板
４  底板
５  吊穴
６  底穴
７  長穴
８  湾曲板バネ
９  縁
10  連結部
11  頂部
12  収容空間
13  開口
14  ネームカード
15  名刺
【図１】
0003119369.tif 000003
【図２】
0003119369.tif 000004
【図３】
0003119369.tif 000005
【図４】
0003119369.tif 000006